(57)【要約】【課題】  開口部を閉塞し得る蓋体を、開口に対して開の姿勢及び閉の姿勢で保持させ、且つ、構成する部材の及び組立てに高い精度を必要とせず結果的に製造が簡便な蓋体の開閉機構を提供する。【解決手段】  開口部９を閉塞し得る蓋体４を丸棒部材５に一体化させて回動可能とし、丸棒部材５に被係止部１１，１２を形成し、蓋体４が開口部９に対して開の姿勢及び閉の姿勢を取った際には被係止部１１，１２と係止し合う係止部材６を装置本体３の側に備え、且つ、係止部材６と被係止部１１，１２が係止し合っている際にその係止状態を保持するように係止部材６に付勢部材である弦巻バネ７が付勢力を与える構成とした。【選択図】  図２
2007294515.tif 000002
【特許請求の範囲】
【請求項１】
開口部が開設された装置本体と、その装置本体の側に枢支され、断面がほぼ円形の丸棒部材と、その丸棒部材と一体化されて回動し、前記開口部に対して開と閉の姿勢を取り得る蓋体が備えられ、
更に、上記丸棒部材に形成された被係止部と、上記蓋体が上記開口部に対して開の姿勢及び閉の姿勢を取った際に前記被係止部と係止し合う係止部材と、その係止部材と前記被係止部が係止し合っている際にその係止状態を保持するように前記係止部材に付勢力を与える付勢部材が備えられてなる蓋体の開閉機構。
【請求項２】
被係止部の係止の部位が平板状であって且つ係止部材が平板状である組合せ、被係止部の係止の部位が凹形状であって且つ係止部材が凸形状である組合せ、被係止部の係止の部位が凸形状であって且つ係止部材が凹形状の組合せである請求項１に記載の蓋体の取り付け構造。
【発明の詳細な説明】
【技術分野】
【０００１】
この発明は、例えばアンプ、レシーバ、ＣＤプレーヤ、ＤＶＤプレーヤ等において操作スイッチや操作釦類を操作面に配設し、それらの操作スイッチや操作釦類を塵埃の進入から守ったり見栄えを得るために、蓋体でそれらの操作スイッチや操作釦類を覆うことが行われている。
この発明は、斯かる蓋体を装置本体に回動可能に取り付けて蓋体が開口部を開閉する蓋体の開閉機構に関する。
特に、この発明は、蓋体が開の位置を取った際と閉の位置を取った際に、蓋体がそれぞれの位置においてその姿勢が保持され得る蓋体の開閉機構に関する。
【背景技術】
【０００２】
操作面に操作スイッチや操作釦類を配設し、それらの操作スイッチや操作釦類を塵埃の進入から守ったり見栄えを得るために、蓋体でそれらの操作スイッチや操作釦類を覆う構成の電気機器、電子機器等においては、ユーザーのそれら操作スイッチや操作釦類への操作及び操作スイッチや操作釦類の蓋体による覆いということから、装置本体に対して蓋体が開の姿勢を取った際と閉の姿勢を取った際に、蓋体はその取った姿勢を保持することが必要になる。
蓋体が装置本体に対して開の姿勢を取った際と閉の姿勢を取った際に、蓋体がその取った姿勢を保持し得る蓋体の開閉機構として、以下の公報が知られている。
【０００３】
【特許文献１】特開２００１−５３４５５号公報
【特許文献２】特開平９−４６０６１号公報
【発明の開示】
【発明が解決しようとする課題】
【０００４】
特許文献１には、オーディオ本体１の開口部１ｂを開閉するためのリッド３が設けられ、リッド３の裏面に突出部５を設け、リッド３が閉の姿勢ではオーディオ本体１の側に固定の板バネ４が突出部５をその姿勢を保つように当接して付勢し、板バネ４の付勢力に抗してリッド３を開の方向に回転すると板バネ４の突出部５への付勢が解除される構成が開示されている。
斯かる構成によって、リッド３はオーディオ本体１の開口部１ｂに対して開と閉の姿勢を保持している。
しかしながら、特許文献１に記載のシーリングパネルの開閉構造では、突出部５と板バネ４の配置が、リッド３の回転動作により突出部５の先端部５ａが描く円弧を含む円５ｂと、板バネ４の配置される位置の線分４ｂとが２つの交点を持つように設定される必要があり、各部材の製作及び製造特に組立てに高い精度が要求されるという問題があった。
【０００５】
特許文献２には、本体に凹部を扉に凸部をそれぞれ設けてロック機構を構成し、且つ、そのロック機構が解除の状態では前記凸部の先端部が本体側面壁と接触する位置に設けることにより、前記扉がどの位置においてもがたつかずに静止固定が可能な扉の開閉機構が開示されている。
従って、扉は本体に対して任意の姿勢を保持することが可能である。
しかしながら、斯かる構成の扉の開閉機構では、特許文献１と同様に、各部材の製造及び組立てに高い精度が要求され、高い精度が確保されない場合には当初の効果が得られないという問題があった。
【０００６】
この発明は、上記の事情に鑑みてなされたものであり、蓋体が装置本体に対して開及び閉の姿勢を取った際にその姿勢を保持することができ、且つ、構成する部材の製作及び製造に高い精度を必要とせず簡便に製造が行い得る蓋体の取り付け構造を提供するものである。
【課題を解決するための手段】
【０００７】
この発明は、蓋体と一体で回動する丸棒部材に被係止部を形成し、蓋体が開の姿勢及び閉の姿勢を取った際に前記被係止部に係止部材を係止かつ押圧してその姿勢を保持させるように構成した蓋体の開閉機構である。
その詳細な構成は、開口部が開設された装置本体と、その装置本体の側に枢支され、断面がほぼ円形の丸棒部材と、その丸棒部材と一体化されて回動し、前記開口部に対して開と閉の姿勢を取り得る蓋体が備えられ、
更に、上記丸棒部材に形成された被係止部と、上記蓋体が上記開口部に対して開の姿勢及び閉の姿勢を取った際に前記被係止部と係止し合う係止部材と、その係止部材と前記被係止部が係止し合っている際にその係止状態を保持するように前記係止部材に付勢力を与える付勢部材が備えられてなる蓋体の開閉機構である。
【０００８】
斯かる構成の蓋体の開閉機構は、蓋体が開口部（装置本体）に対して開の姿勢及び閉の姿勢を取ると係止部材が丸棒部材の被係止部と係止し合い、付勢部材が係止部材を押圧してその係止の状態を保持しようとするから、丸棒部材はその回転位置が保持され蓋体はその姿勢を保持する。
【０００９】
ここで、丸棒部材に形成される被係止部と係止部材は、具体的に、前記丸棒部材にその軸線方向に拡がって形成された平面部とその平面部と形状が対応する板部材の組合せ、突状部と凹状部材の組合せ、凹部と突状部材の組合せなどが挙げられる。
被係止部と係止部材は、丸棒部材の加工のし易さ、本発明の蓋体の開閉機構を装置本体に組込んだ際の組込みの簡便さ、スペースの余裕等に基づいて適宜選択するのが望ましい。
又、付勢部材は、具体的に、弦巻バネ、ブロック状ゴム体等が挙げられ、装置本体への取付け及び係止部材への付勢力の与え方に合わせて、適宜選択するのが望ましい。
【発明の効果】
【００１０】
この発明は、蓋体が開の姿勢及び閉の姿勢を取った際に、蓋体と一体で回動する丸棒部材に備えた被係止部に係止部材が係止かつ押圧してその姿勢を保持させるように構成したことにより、蓋体が開の姿勢及び閉の姿勢を取った際にその姿勢が保持されて他の姿勢を取ることがなく、且つ、各部材の製作の精度及び組立ての精度が高い必要はなく、結果的製造が簡便な蓋体の開閉機構である。
【発明を実施するための最良の形態】
【００１１】
この発明を、以下において図面と共に最良の形態に基づき説明する。しかし、この形態によって、この発明が限定されるものではない。
蓋体の開閉機構１は図１に示すように、ＡＶレシーバーアンプ２に組込まれている。
ＡＶレシーバアンプ２は、音声に係る電波の受信、音声に係る電気信号の増幅等を行うものである。
【００１２】
蓋体の開閉機構１は、図示するように、装置本体３と、蓋体４と、断面がほぼ円形の丸棒部材５と、係止部材６及び付勢部材である弦巻バネ７が備えられている。
装置本体３は前面に操作表示パネル８が形成され、操作表示パネル８に開口部９が開設されている。開口部９の装置本体３の内側にＡＶレシーバアンプ２を操作するための操作スイッチ、操作釦類からなる操作部１０が配設されている。
【００１３】
蓋体４は、開口部９を閉塞し得るものである。
丸棒部材５は装置本体３の側に枢支されており、丸棒部材５に蓋体４が一体化されている。
斯かる構成によって、蓋体４が丸棒部材５と共に装置本体３に対して回動することによって（矢印Ａ及びＢ方向）、蓋体４が開口部９に対して開及び閉の姿勢を取る得る。
【００１４】
更に、丸棒部材５には、被係止部である平面部１１，１２が軸線方向に拡がって形成されている。又、装置本体３の側には、弦巻バネ７が固定保持され、弦巻バネ７の端部に平板状の係止部材６が取り付けられている。
そして、蓋体４が開口部９に対して閉の姿勢を取った際には、係止部材６が丸棒部材５の平面部１１と平面で係止し、且つ、弦巻バネ７からの付勢力（矢印Ｃ方向）によってその係止状態を保持する構成になっている（以上、図２を参照）。
【００１５】
他方、丸棒部材５が装置本体３に対して回転し、蓋体４が開口部９に対して開の姿勢を取った際には、係止部材６が丸棒部材５の平面部１２と平面で係止し、且つ、弦巻バネ７からの付勢力（矢印Ｃ方向）によってその係止状態を保持する構成になっている（以上、図３を参照）。
尚、１３は、弦巻バネ７を装置本体３の側に固定保持するために設けられた凹部である。
【００１６】
蓋体の開閉機構１は、上述したように構成されている。以下において、蓋体の開閉機構１の機能を説明する。
蓋体の開閉機構１において、最初は図２に示すように、蓋体４が開口部９を閉塞の姿勢にあるとする。
【００１７】
この時、弦巻バネ７は係止部材６を矢印Ｃ方向に付勢しているので、係止部材６は丸棒部材５の方向に押圧されている。
そうして、係止部材６が上述したように平板状であって且つ平面部１１に押圧されているので、係止部材６と平面部１１は係止し合っており、丸棒部材５は装置本体３に対して回動することはなくその位置を保持し続けようとする。
従って、丸棒部材５が装置本体３に対して回動することがないから、丸棒部材５と一体の蓋体４は装置本体３の側である開口部９に閉塞した姿勢を取り続けることになる。
【００１８】
ここで、ユーザーは、ＡＶレシーバアンプ２を機能させるために操作部１０を操作しようとし、弦巻バネ７の付勢力に抗して上記の係止部材６と平面部１１は係止状態を解除させて蓋体４を矢印Ａ方向に回転する。
この蓋体４を矢印Ａ方向に回転させている際、係止部材６は丸棒部材５の円弧部分と接触した状態であることから、丸棒部材５が係止部材６を介して弦巻バネの７から付勢力を受けているが比較的小さい力で丸棒部材５を装置本体３に対して、つまり、蓋体４を比較的小さい力で開口部９に対して開の方向に回転することが可能である。
【００１９】
ユーザーが蓋体４を開口部９に対して開の方向に回転すると、丸棒部材５が係止部材６に対して矢印Ａ方向に回転することになるが、蓋体４を開口部９に対して開の姿勢を取ると、丸棒部材５に形成した平面部１２と係止部材６が平面同士で係止し合う状態になり、且つ、弦巻バネ７が係止部材６に矢印Ｃ方向の押圧力を与えるから、結果的にこの平面部１２と係止部材６の係止状態が保持されることになる。
平面部１２と係止部材６の係止状態が保持されると、丸棒部材５は装置本体３に対して位置が固定されて回転しようとしないから、丸棒部材５と一体の蓋体４は装置本体３の側である開口部９に対してその姿勢を保つことになる。
【００２０】
ここで、ユーザーは、開口部９が開の状態において、操作部１０を操作してＡＶレシーバアンプ２の機能を所望通りに設定することができる。
ユーザーは、操作部１０を操作してＡＶレシーバアンプ２の機能を所望通りに設定した後、蓋体４を装置本体３に対して矢印Ｂ方向に回転して開口部９を蓋体４で閉塞する。
蓋体４は開口部９に対して、図２で示す状態となる。
【００２１】
ここで、開口部９は蓋体４によって閉塞されているので、外部から操作部１０に、更には装置本体３の内部に塵埃が入り込むことを防ぐことが可能になっている。
又、操作部１０が蓋体３によって覆い隠されているので、ユーザーは操作表示パネル８を見ることになり、好ましい見栄えが得られている。
【００２２】
他方、蓋体の開閉機構１は、蓋体３を回動させるための丸棒部材５に平面部１１，１２を形成し、且つ、平板状の係止部材６を弦巻バネ７に用いて矢印Ｃ方向に付勢する構成であるから、各部材の製作及び組立て・組込み等において高い精度が要求されることはなく、結果的に、製造が簡便になっている。
特に、係止部材６は弦巻バネ７に付勢されて被係止部１１，１２を押圧の状態で係止する構成であるから、係止部材６及び被係止部１１，１２の係止し合う面の仕上げ加工は高い精度で行わなくてもよいという効果が得られている。
【００２３】
この発明の他の実施の形態を、図４を用いて説明する。
蓋体の開閉機構１ａは、丸棒部材５ａに凹形状の被係止部１１ａ，１２ａが、先端が凸形状の係止部材６ａ，１６ａが装置本体３ａの側から弦巻バネ７ａ，１７ａによって付勢力を受ける構成になっている。
【００２４】
ここで、蓋体４ａが開口部９ａを閉塞する姿勢においては、丸棒部材５ａの被係止部１１ａ，と係止部材６ａが係止し合い、且つ，係止部材６ａが弦巻バネ７ａ，１７ａから付勢の押圧力を受けているので、丸棒部材５ａは装置本体３ａに対してその位置を取り続けることになる。
従って、丸棒部材５ａと一体の蓋体４ａは、装置本体３ａの側である開口部９ａに対してその姿勢を取り続けて結果的に閉塞状態を保持する。
【００２５】
他方、丸棒部材５ａを装置本体３に対して矢印Ａａ方向にほぼ９０度回転すると、被係止部１２ａと係止部材１６ａが係止し合い、且つ，係止部材１６ａが弦巻バネ１７ａから付勢の押圧力を受けているので、丸棒部材５ａは装置本体３ａに対してその位置を取り続けることになる。矢印に対してその位置を取り続けることになる。
従って、丸棒部材５ａと一体の蓋体４ａは、装置本体３ａの側である開口部９ａに対してその姿勢を取り続けて結果的に開放状態を保持する。
１３ａ，２３ａはそれぞれ、弦巻バネ６ａ，１７ａを固定保持するための凹部である。
【００２６】
上述した他の実施の形態では、被係止部１１ａ，１２ａが凹形状であって且つ係止部材６ａ，１６ａが凸形状である。
更に他の実施の形態として、被係止部１１ａ，１２ａが凸形状であって且つ係止部材６ａ，１６ａが凹形状の組合せが挙げられる。
【００２７】
又、図４に示す他の実施の形態及び更に他の実施の形態においても、係止部材６ａ，１６ａは弦巻バネ７ａ，１７ａに付勢されて被係止部１１ａ，１２ａを押圧の状態で係止する構成であるから、係止部材６ａ，１６ａ及び被係止部１１ａ，１２ａの係止し合う形状の仕上げ加工は高い精度で行わなくてもよいという効果が得られている。
【００２８】
尚、蓋体の開閉機構１及びこの発明の他の実施の形態において、蓋体４，４ａの自重、蓋体４，４ａの丸棒部材５，５ａに対する取付け位置、弦巻バネ７，７ａ，１７ａの付勢力の強さ、係止部材６，６ａ，１６ａと丸棒部材５，５ａの滑り抵抗係数等を適宜選択することによって、蓋体４，４ａを閉の姿勢から開の姿勢に移行させる際にその回転の速さを任意なものに選択することが可能である。
【００２９】
蓋体の開閉機構１，１ａでは、付勢部材が弦巻バネ７，７ａ，１７ａであるが、装置本体への取付け及び係止部材への付勢力の与え方に合わせてブロック状ゴム体等を適宜選択するのが望ましい。
【図面の簡単な説明】
【００３０】
【図１】この発明の実施の最良の形態をＡＶレシーバーアンプに組み込んだことを示す一部省略を含む斜視図である。
【図２】図１に示す形態でＸ−Ｘ断面において、蓋体が閉の姿勢を取った状態を説明する構成説明図である。
【図３】図１に示す形態でＸ−Ｘ断面において、蓋体が開の姿勢を取った状態を説明する構成説明図である。
【図４】この発明の他の実施の形態を示す図２相当図である。
【符号の説明】
【００３１】
１，１ａ                      ：蓋体の開閉機構
２，２ａ                      ：ＡＶレシーバーアンプ
３，３ａ                      ：装置本体
４，４ａ                      ：蓋体
５，５ａ                      ：丸棒部材
６，６ａ，１６ａ              ：係止部材
７，７ａ，１７ａ              ：付勢部材としての弦巻バネ
９，９ａ                      ：開口部
１１，１２，１１ａ，１２ａ    ：被係止部
【図１】
2007294515.tif 000003
【図２】
2007294515.tif 000004
【図３】
2007294515.tif 000005
【図４】
2007294515.tif 000006